(57)【特許請求の範囲】
【請求項１】
トナー像を保持して移動する像保持部材からトナー像を転写させる位置よりも像保持部材の移動方向下流側の位置に、像保持部材の表面に残留する残留物を除去するクリーニング装置と、像保持部材の表面に潤滑剤を供給する潤滑剤供給手段と、像保持部材の表面に端部を圧接させて像保持部材の表面に供給された潤滑剤を像保持部材の表面に塗布させる均し部材とが設けられた画像形成装置において、上記の均し部材に導電性のシート部材を用い、この均し部材の端部を像保持部材の移動方向と同方向に向けて像保持部材の表面に圧接させると共に、上記の均し部材に対して、バイアス電源から像保持部材の表面の帯電極性と逆極性の電圧を印加させ、上記の均し部材の端部を上記の像保持部材の表面に電気的に吸着させたことを特徴とする画像形成装置。
【請求項２】
請求項１に記載の画像形成装置において、上記の均し部材の厚みが０．２〜１．５ｍｍの範囲であることを特徴とする画像形成装置。
【請求項３】
請求項１又は請求項２に記載の画像形成装置において、上記の均し部材の端部を像保持部材の表面に電気的に吸着させる前の状態で、像保持部材の表面に対する均し部材の端部の圧接力を３〜２０Ｎ／ｍの範囲にしたことを特徴とする画像形成装置。
【請求項４】
請求項１〜請求項３の何れか１項に記載の画像形成装置において、上記のクリーニング装置が、上記の潤滑剤供給手段よりも像保持部材の移動方向上流側の位置に設けられていることを特徴とする画像形成装置。
【発明の詳細な説明】
【技術分野】
【０００１】
本発明は、複写機，プリンタ，ファクシミリ、これらの複合機などの画像形成装置に係り、特に、トナー像を保持して移動する像保持部材からトナー像を転写させる位置よりも像保持部材の移動方向下流側の位置に、像保持部材の表面に残留する残留物を除去するクリーニング装置と、像保持部材の表面に潤滑剤を供給する潤滑剤供給手段と、像保持部材の表面に端部を圧接させて像保持部材の表面に供給された潤滑剤を像保持部材の表面に塗布させる均し部材とが設けられた画像形成装置において、上記の潤滑剤供給手段から像保持部材の表面に供給された潤滑剤を均し部材により適切に塗布させて、長期にわたって安定した画像形成が行えるようにした点に特徴を有するものである。
【背景技術】
【０００２】
複写機，プリンタ，ファクシミリ、これらの複合機などの画像形成装置においては、トナー像を保持して移動する像保持部材、例えば、トナー像が形成される感光体や、感光体に形成されたトナー像が転写される中間転写体において、このような像保持部材からトナー像を記録媒体や中間転写体等の被転写部材に転写させた後、この像保持部材の表面にクリーニングブレード等のクリーニング部材を圧接させて、この像保持部材の表面に残留しているトナー等の残留物を除去することが行われている。
【０００３】
ここで、上記のようにトナー像を転写させた後における像保持部材の表面にクリーニング部材を圧接させて、この像保持部材の表面に残留しているトナー等の残留物を除去する作業を長く続けると、クリーニング部材が摩耗してクリーニング性能が低下したり、また像保持部材の表面が摩耗して、像保持部材の寿命が短くなったりする等の問題があった。
【０００４】
このため、従来においては、トナー像を記録媒体等に転写させた像保持部材の表面に潤滑剤供給手段から金属石鹸等の潤滑剤を供給し、この潤滑剤により像保持部材の表面とクリーニング部材との間の摩擦抵抗を低減させると共に、像保持部材の表面の離型性を高め、像保持部材の表面に形成されたトナー像を上記の被転写部材に適切に転写させるようにすることが行われている。
【０００５】
そして、従来においては、上記のようにトナー像を被転写部材に転写させた像保持部材の表面に潤滑剤供給手段から潤滑剤を供給するにあたり、特許文献１に示されるように、固形潤滑剤からブラシロールによって潤滑剤を掻き取り、トナー像を転写させた後の像保持部材の表面にこのブラシロールを接触させて、掻き取った潤滑剤を像保持部材の表面に付与した後、この像保持部材の表面にクリーニング部材を圧接させて像保持部材の表面に付与された潤滑剤を塗布し、像保持部材の表面に潤滑剤の被膜を形成するようにしたものが提案されている。
【０００６】
しかし、このようにクリーニング部材によって像保持部材の表面に残留しているトナー等の残留物を除去する前に、像保持部材の表面にブラシロールを接触させて潤滑剤を付与するようにした場合、このブラシロールに像保持部材の表面に残留しているトナー等の残留物が付着して次第に蓄積し、これによりブラシロールにおける固形潤滑剤から潤滑剤を掻き取る能力が次第に低下し、像保持部材の表面に潤滑剤を適切に付与することができなくなるという問題があった。
【０００７】
また、従来においては、上記のように像保持部材の表面に残留しているトナー等の残留物がブラシロールに付着するのを抑制するため、特許文献２に示されるように、像保持部材の表面に残留しているトナー等の残留物をクリーニング部材によって除去した後、上記のブラシロールを接触させて像保持部材の表面に潤滑剤を付与し、その後、弾性体で板状に形成された均し部材の端部を像保持部材の移動方向と同方向に向けて像保持部材の表面に圧接させて、像保持部材の表面に供給された潤滑剤を像保持部材の表面に塗布させるようにしたものが提案されている。
【０００８】
ここで、このように弾性体で板状に形成された均し部材の端部を像保持部材の移動方向と同方向に向けて圧接させて、潤滑剤を像保持部材の表面に塗布させる場合において、像保持部材の表面に対する均し部材の端部の圧接力が弱いと、像保持部材の表面に供給された潤滑剤が被膜化されずに、潤滑剤が粒子の状態で均し部材の端部を通過するようになる。
【０００９】
そして、このように潤滑剤が粒子の状態で均し部材の端部を通過すると、この潤滑剤の粒子が像保持部材の表面に接触する帯電ローラ等に付着して、像保持部材の表面を適切に帯電させることができなくなったり、潤滑剤の粒子が現像装置内に混入してトナーの帯電不良が生じたりし、形成される画像に様々な不良が発生するという問題がある。
【００１０】
一方、像保持部材の表面に供給された潤滑剤が十分に被膜化されるように、像保持部材の表面に対する均し部材の端部の圧接力を強くした場合、上記の均し部材が次第に変形して永久ひずみが大きくなり、像保持部材の表面に対する均し部材の端部の圧接力を維持させることが困難になり、像保持部材の表面に供給された潤滑剤を十分に被膜化させることができなくなり、安定した画像形成が行えなくなるなどの問題があった。
【００１１】
また、上記のように均し部材の端部を像保持部材の移動方向と同方向に向けて像保持部材の表面に圧接させて、潤滑剤を像保持部材の表面に塗布させるにあたり、像保持部材の表面に均し部材の端部を圧接させる長さ（ニップ幅）を大きくすることも考えられる。
【００１２】
しかし、このように像保持部材の表面に圧接させる均し部材のニップ幅を大きくする場合には、像保持部材の表面に対する均し部材の端部の圧接角が小さくなって、均し部材の端部が像保持部材の表面に対して腹当り状態になり、均し部材の端部によって潤滑剤を像保持部材の表面に十分に圧接させることが困難になり、潤滑剤が粒子の状態で均し部材の端部を通過して、像保持部材の表面に潤滑剤を適切に塗布させることができなくなるという問題があった。
【特許文献１】特開２００３−５７９９６号公報
【特許文献２】特開２００６−２５１７５１号公報
【発明の開示】
【発明が解決しようとする課題】
【００１３】
本発明は、トナー像を保持して移動する像保持部材からトナー像を転写させる位置よりも像保持部材の移動方向下流側の位置に、像保持部材の表面に残留する残留物を除去するクリーニング装置と、像保持部材の表面に潤滑剤を供給する潤滑剤供給手段と、像保持部材の表面に端部を圧接させて像保持部材の表面に供給された潤滑剤を像保持部材の表面に塗布させる均し部材とを設けた画像形成装置における上記のような問題を解決することを課題とするものである。
【００１４】
すなわち、本発明においては、上記のように均し部材の端部を像保持部材の移動方向と同方向に向けて像保持部材の表面に圧接させ、像保持部材の表面に供給された潤滑剤を均し部材によって像保持部材の表面に塗布させるにあたり、均し部材によって潤滑剤が像保持部材の表面に長期にわたって適切に塗布させ、良好な画像形成が長期にわたって安定して行えるようにすることを課題とするものである。
【課題を解決するための手段】
【００１５】
本発明においては、上記のような課題を解決するため、トナー像を保持して移動する像保持部材からトナー像を転写させる位置よりも像保持部材の移動方向下流側の位置に、像保持部材の表面に残留する残留物を除去するクリーニング装置と、像保持部材の表面に潤滑剤を供給する潤滑剤供給手段と、像保持部材の表面に端部を圧接させて像保持部材の表面に供給された潤滑剤を像保持部材の表面に塗布させる均し部材とが設けられた画像形成装置において、上記の均し部材に導電性のシート部材を用い、この均し部材の端部を像保持部材の移動方向と同方向に向けて像保持部材の表面に圧接させると共に、上記の均し部材に対して、バイアス電源から像保持部材の表面の帯電極性と逆極性の電圧を印加させ、上記の均し部材の端部を上記の像保持部材の表面に電気的に吸着させるようにした。
【００１７】
また、上記の均し部材としては、導電性ゴム等で構成されたシート部材を用いることができ、この均し部材の厚みを０．２〜１．５ｍｍの範囲にすることが好ましい。
【００１８】
また、この均し部材の端部を像保持部材の移動方向と同方向に向けて像保持部材の表面に圧接させるにあたっては、この均し部材の端部を像保持部材の表面に電気的に吸着させる前の状態で、像保持部材の表面に対する均し部材の端部の圧接力を３〜２０Ｎ／ｍの範囲にすることが好ましい。
【００１９】
また、本発明の画像形成装置においては、上記のクリーニング装置を潤滑剤供給手段よりも像保持部材の移動方向上流側の位置に設けることが好ましい。
【発明の効果】
【００２０】
本発明の画像形成装置においては、トナー像を転写させた後の像保持部材の表面に潤滑剤供給手段によって潤滑剤を供給し、このように潤滑剤が供給された像保持部材の表面に均し部材の端部を圧接させて、像保持部材の表面に供給された潤滑剤を像保持部材の表面に塗布するにあたり、均し部材に導電性のシート部材を用い、この均し部材の端部を像保持部材の移動方向と同方向に向けて像保持部材の表面に圧接させると共に、この均し部材にバイアス電源から像保持部材の表面の帯電極性と逆極性の電圧を印加させて、この均し部材の端部を上記の像保持部材の表面に電気的に吸着させるようにする。
【００２１】
このようにすると、均し部材の端部を像保持部材の表面に圧接させる力の他に、均し部材の端部を像保持部材の表面に電気的に吸着させる力が作用し、均し部材の端部を像保持部材の表面に圧接させる力を弱くしても、像保持部材の表面に供給された潤滑剤がこの均し部材により適切に圧接されて被膜化され、像保持部材の表面に潤滑剤が適切に塗布されるようになる。
【００２２】
また、上記のように均し部材の端部を像保持部材の表面に圧接させる力を弱くすることができるため、均し部材が次第に変形して永久ひずみが大きくなるのが防止され、この均し部材により潤滑剤が像保持部材の表面に長期にわたって適切に塗布され、良好な画像形成が長期にわたって安定して行えるようになる。
【００２３】
また、本発明の画像形成装置において、上記の均し部材の厚みを０．２〜１．５ｍｍの範囲にし、またこの均し部材の端部を像保持部材の表面に電気的に吸着させる前の状態で、像保持部材の表面に対する均し部材の端部の圧接力を３〜２０Ｎ／ｍの範囲にすると、像保持部材の表面に圧接させる均し部材のニップ幅を大きくして、潤滑剤を像保持部材の表面に適切に塗布させることができると共に、均し部材に永久ひずみが発生するのが一層抑制され、この均し部材によって潤滑剤を像保持部材の表面により長期にわたって適切に塗布できるようになる。
【００２４】
また、上記の画像形成装置において、転写後の像保持部材の表面に残留しているトナー等の残留物を除去するクリーニング装置を上記の潤滑剤供給手段よりも像保持部材の移動方向上流側の位置に設けると、像保持部材の表面に残留しているトナー等の残留物が潤滑剤供給手段に付着するのが防止され、潤滑剤供給手段により像保持部材の表面に潤滑剤が適切に供給されるようになる。
【発明を実施するための最良の形態】
【００２５】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２６】
この実施形態に係る画像形成装置においては、黄色，マゼンタ色，シアン色，黒色の異なった色彩のトナーを収容させた４つの現像装置１１に対応させて、像保持部材となる４つの感光体ドラム１０を設けている。
【００２７】
ここで、この画像形成装置において、フルカラーの画像形成を行うにあたっては、上記の各感光体ドラム１０を回転させて、各感光体ドラム１０の表面をそれぞれ帯電ローラからなる帯電装置１２によって帯電させ、このように帯電された各感光体ドラム１０に対して、それぞれ露光装置１３により画像データに従った露光を行って、各感光体ドラム１０の表面にそれぞれ静電潜像を形成する。
【００２８】
そして、このように静電潜像が形成された各感光体ドラム１０に対して対応する各現像装置１１からそれぞれ所定の色彩のトナーを各感光体ドラム１０の静電潜像に供給して現像を行い、各感光体ドラム１０の表面にそれぞれの色彩のトナー像を形成する。
【００２９】
次いで、上記の各感光体ドラム１０に形成されたそれぞれの色彩のトナー像を、ローラ１４に架け渡されて駆動される無端ベルト状になった中間転写体１５にそれぞれローラ状になった一次転写装置１６により順々に一次転写させて、この中間転写体１５の上にフルカラーのトナー像を形成する。
【００３０】
そして、転写後の各感光体ドラム１０の表面に残留しているトナー等の残留物をそれぞれ第１クリーニング装置２０に導き、この第１クリーニング装置２０に設けられたクリーニングブレート２１を感光体ドラム１０の表面に圧接させて、各感光体ドラム１０の表面からそれぞれトナー等の残留物を除去させる。
【００３１】
次いで、このようにトナー等の残留物が除去された各感光体ドラム１０の表面にそれぞれ潤滑剤供給手段３０により潤滑剤を供給し、このように潤滑剤が供給された各感光体ドラム１０の表面にそれぞれ均し部材４０の端部を圧接させて、各感光体ドラム１０の表面に供給された潤滑剤を各感光体ドラム１０の表面に均一に塗布させる。
【００３２】
一方、上記のように中間転写体１５の上に形成されたフルカラーのトナー像を、この中間転写体１５によりローラ状になった二次転写装置１７と対向する位置に導くと共に、この画像形成装置の下部に収容されたシート状の記録媒体Ｓを、送りローラ１８により中間転写体１５と二次転写装置１７との間に導き、上記の二次転写装置１７により中間転写体１５の上に形成されたフルカラーのトナー像をこの記録媒体Ｓに二次転写させる。
【００３３】
その後は、このようにフルカラーのトナー像が転写された記録媒体Ｓを定着装置１９に導いて、転写されたフルカラーのトナー像を記録媒体Ｓに定着させた後、このようにフルカラーのトナー像が定着された記録媒体Ｓを排紙させる。
【００３４】
また、記録媒体Ｓに転写されずに上記の中間転写体１５に残ったトナー等の残留物を第２クリーニング装置５０に導き、この第２クリーニング装置５０に設けられたクリーニングブレード５１を中間転写体１５の表面に圧接させて、中間転写体１５に残ったトナー等の残留物を中間転写体１５から除去させる。
【００３５】
ここで、前記のように転写後における感光体ドラム１０の表面に残留しているトナー等の残留物を第１クリーニング装置２０によって除去した後、この感光体ドラム１０の表面に潤滑剤供給手段３０によって潤滑剤を供給するにあたり、この実施形態においては、図２に示すように、感光体ドラム１０の表面に接触して回転するブラシローラ３１に固形潤滑剤３２をバネからなる押圧部材３３により押圧させ、このブラシローラ３１により固形潤滑剤３２から掻き取った潤滑剤を上記の感光体ドラム１０の表面に供給するようにしている。なお、このように潤滑剤を感光体ドラム１０の表面に供給した後、このブラシローラ３１に付着している粉塵等をブラシローラ３１から掻き出すように、感光体ドラム１０の表面に潤滑剤を供給した後のブラシローラ３１に掻き出し部材（図示せず）を当接させるようにすることができる。
【００３６】
ここで、上記の潤滑剤としては、例えば、ステアリン酸亜鉛、ステアリン酸マグネシウム、ステアリン酸リチウム等の脂肪酸金属塩を用いることができる。
【００３７】
また、上記のブラシローラ３１のブラシとしては、例えば、ナイロン、レーヨン、アクリル等の合成繊維で構成された導電性又は絶縁性のブラシを用いることができる。
【００３８】
また、上記のように潤滑剤が供給された感光体ドラム１０の表面に均し部材４０の端部を圧接させて、潤滑剤を感光体ドラム１０の表面に塗布させるにあたっては、図２に示すように、導電性の支持部材４１に導電性のシート部材で構成された均し部材４０を保持させて、この均し部材４０の端部を感光体ドラム１０の移動方向と同方向に向けて感光体ドラム１０の表面に圧接させると共に、バイアス電源４２から上記の支持部材４１を通して均し部材４０に、感光体ドラム１０の表面の帯電極性とは逆極性の電圧、例えば、感光体ドラム１０の表面がマイナスに帯電される場合にはプラスの電圧を印加させて、上記の均し部材４０の端部を感光体ドラム１０の表面に電気的に吸着させるようにしている。
【００３９】
このようにすると、前記のように均し部材４０の端部を感光体ドラム１０の表面に圧接させる力の他に、均し部材４０の端部を感光体ドラム１０の表面に電気的に吸着させる力が作用し、均し部材４０の端部を感光体ドラム１０の表面に圧接させる力を弱くしても、感光体ドラム１０の表面に供給された潤滑剤が均し部材４０によって適切に圧接されて被膜化され、感光体ドラム１０の表面に潤滑剤が適切に塗布される。また、上記の均し部材４０が次第に変形して永久ひずみが大きくなるのも防止され、この均し部材４０によって潤滑剤が感光体ドラム１０の表面に長期にわたって適切に塗布されて、良好な画像形成が長期にわたって安定して行えるようになる。
【００４０】
ここで、上記の均し部材４０としては、導電性ウレタンゴムなどの導電性の弾性材料で構成され、厚みが０．２〜１．５ｍｍになったシート部材を用いることが好ましい。これは、均し部材４０の厚みが０．２ｍｍ未満になると、この均し部材４０の端部を感光体ドラム１０の表面に電気的に吸着させるとしても、この均し部材４０の端部を感光体ドラム１０の表面に十分に圧接させることが困難になり、感光体ドラム１０の表面に供給された潤滑剤が適切に塗布されずに、粒子の状態で均し部材４０の端部を通過するおそれが生じるためである。一方、均し部材４０の厚みが１．５ｍｍを越えると、この均し部材４０の曲げ剛性が強くなり、感光体ドラム１０の表面に圧接させる均し部材１０のニップ幅を大きくすることが困難になると共に、この均し部材４０に永久ひずみが発生しやすくなるためである。
【００４１】
また、上記の均し部材４０の端部を感光体ドラム１０の表面に圧接させて、感光体ドラム１０の表面に供給された潤滑剤がこの均し部材４０によって適切に塗布されるようにするためには、この均し部材４０の端部を感光体ドラム１０の表面に電気的に吸着させる前の状態で、感光体ドラム１０の表面に対する均し部材４０の端部の圧接力を３〜２０Ｎ／ｍの範囲にすることが好ましい。また、均し部材４０の端部を感光体ドラム１０の表面に電気的に吸着させた状態では、上記の圧接力と電気的な吸着力とを合わせた全体の圧接力が１０〜４０Ｎ／ｍの範囲になるようにすることが好ましい。
【００４２】
さらに、上記のように均し部材４０の端部を感光体ドラム１０の表面に圧接させるにあたり、感光体ドラム１０の表面に供給された潤滑剤が、均し部材４０の端部を簡単にすり抜けたり、逆にこの均し部材４０によって強くせき止められたりするのを防止するため、感光体ドラム１０の表面と均し部材４０の端部とによって形成される楔部分の角度、すなわち感光体ドラム１０の表面に対する均し部材４０の端部の圧接角を１０〜２０°の範囲にすることが好ましい。
【００４３】
なお、この実施形態の画像形成装置においては、転写後の各感光体ドラム１０の表面に残留しているトナー等の残留物を除去する上記の第１クリーニング装置２０よりも感光体ドラム１０の移動方向下流側において、感光体ドラム１０の表面に潤滑剤を供給する潤滑剤供給手段３０と均し部材４０とを設けるようにしたが、図示していないが、転写後の中間転写体１５に残ったトナー等の残留物を除去する第２クリーニング装置３０よりも中間転写体１５の移動方向下流側において、上記のような潤滑剤供給手段と均し部材とを設けることも可能である。
【００４４】
次に、負帯電性の感光体ドラムを用いた市販の複写機（コニカミノルタ社製：Ｂｉｚｈｕｂ  Ｃ４５０）を改造し、転写後の各感光体ドラムの表面に残留しているトナー等の残留物を除去する第１クリーニング装置よりも感光体ドラムの移動方向下流側に、上記のような潤滑剤供給手段を設けると共に、この潤滑剤供給手段よりも感光体ドラムの移動方向下流側に均し部材及びこの均し部材に電圧を印加させるバイアス電源を設けるようにした。
【００４５】
ここで、上記の潤滑剤供給手段においては、固形潤滑剤として、ステアリン酸亜鉛からなる潤滑剤を所定の形状に成形したもの用い、またブラシローラとしては、直径が６ｍｍの金属ローラの外周に、基布厚みが０．５ｍｍで、電気抵抗が１０8Ω、繊維太さが６デシテックス、繊維長が２．５ｍｍ、繊維密度が１２万本／inch2になった導電性ナイロンブラシを設けたもの用いた。
【００４６】
一方、上記の均し部材としては、下記の表１に示すように、実施例１〜８及び比較例１，２においては、導電性ウレタンゴムで構成されて厚みが０．１〜２ｍｍの範囲になったものを用い、また比較例３においては、非導電性ウレタンゴムで構成されて厚みが１ｍｍの範囲になったものを用いた。
【００４７】
そして、各均し部材の端部を上記の支持部材から８ｍｍ突出させ、下記の表１に示すように、各均し部材の端部にバイアス電源から電圧を印加させる前の状態で、各均し部材の端部を感光体ドラムの表面に対して１〜３０Ｎ／ｍの範囲の圧接力で圧接させると共に、上記のバイアス電源から均し部材に対して、実施例１〜８においては、感光体ドラムの帯電極性と逆極性の＋１００〜３００Ｖの電圧を、比較例１では感光体ドラムの帯電極性と同極性の−３００Ｖの電圧を、比較例２では電圧を印加させずにアースさせ、比較例３では電圧を印加させないようにした。
【００４８】
そして、上記のように均し部材の端部を感光体ドラムの表面に圧接させた実施例１〜８及び比較例１〜３の各画像形成装置を用いて耐刷試験を行い、形成された画像における縦スジ状の濃度ムラと中抜けの評価を行い、その結果を下記の表１に合わせて示した。
【００４９】
ここで、縦スジからなる濃度ムラについては、温度１０℃、湿度１５％ＲＨの環境条件で、面積率がそれぞれ５％になった各色彩の文字画像（合計面積率２０％）を４枚間欠で１０万枚プリントした後、ハーフトーン画像をプリントし、プリントされたハーフトーン画像における縦スジ状の濃度ムラを調べた。
【００５０】
また、中抜けについては、温度３０℃、湿度８５％ＲＨの環境条件で、面積率がそれぞれ５％になった各色彩の文字画像（合計面積率２０％）を４枚間欠で１０万枚プリントした後、シアンとマゼンタのトナーを用いて３ｄｏｔ（幅が約７０μｍ）のブルーのライン画像をプリントし、ライン画像における中抜けを調べた。
【００５１】
そして、上記の濃度ムラ及び中抜けの評価については、全く問題ないレベルを◎、僅かに確認できるが実用上問題にならないレベルを○、画像上確認することできて少し問題になるレベルを△、画像上はっきり確認できて実用に適していないレベルを×で示した。
【００５２】
【表１】
0005040582.tif 000002
【００５３】
この結果、導電性の均し部材に対して感光体ドラムの帯電極性と同極性の電圧を印加させた比較例１、導電性の均し部材に対して電圧を印加させずにアースさせた比較例２及び非導電性の均し部材を用いて電圧を印加させなかった比較例３の各画像形成装置においては、縦スジ状の濃度ムラが多く発生したのに対して、導電性の均し部材に対して感光体ドラムの帯電極性と逆極性の電圧を印加させた実施例１〜８の各画像形成装置においては、縦スジ状の濃度ムラの発生が抑制された。
【００５４】
また、実施例１〜８の各画像形成装置を比較した場合、均し部材の厚みが０．１ｍｍで、電圧を印加させる前の感光体ドラムの表面への圧接力が１Ｎ／ｍになった実施例１の画像形成装置においては、縦スジ状の濃度ムラの発生が他の実施例のものよりも多くなっており、また均し部材の厚みが２ｍｍで、電圧を印加させる前の感光体ドラムの表面への圧接力が３０Ｎ／ｍになった実施例８の画像形成装置においては、中抜けの発生が他の実施例のものよりも多くなっていた。
【００５５】
これに対して、均し部材の厚みが０．２〜１．５ｍｍの範囲で、電圧を印加させる前の感光体ドラムの表面への圧接力が３〜２０Ｎ／ｍの範囲になった実施例２〜７の各画像形成装置においては、縦スジ状の濃度ムラや中抜けが殆ど発生していなかった。
【図面の簡単な説明】
【００５６】
【図１】本発明の一実施形態に係る画像形成装置を示した概略説明図である。
【図２】同実施形態の画像形成装置において、感光体ドラムからトナー像を転写させる位置よりも感光体ドラムの移動方向下流側の位置に、感光体ドラムの表面に残留する残留物を除去する第１クリーニング装置と、感光体ドラムの表面に潤滑剤を供給する潤滑剤供給手段と、感光体ドラムの表面に端部を圧接させて像保持部材の表面に供給された潤滑剤を像保持部材の表面に塗布させる均し部材とを設けた状態を示した概略説明図である。
【符号の説明】
【００５７】
１０  感光体ドラム（像保持部材）
１１  現像装置
１２  帯電装置
１３  露光装置
１４  ローラ
１５  中間転写体
１６  一次転写装置
１７  二次転写装置
１８  送りローラ
１９  定着装置
２０  第１クリーニング装置
２１  クリーニングブレート
３０  潤滑剤供給手段
３１  ブラシローラ
３２  固形潤滑剤
３３  押圧部材
３４  掻き出し部材
４０  均し部材
４１  支持部材
４２  バイアス電源
５０  第２クリーニング装置
５１  クリーニングブレード
Ｓ  記録媒体
【図１】
0005040582.tif 000003
【図２】
0005040582.tif 000004